(57)【要約】【課題】送信されるストリーミングサブ情報から閲覧したい情報を即座に閲覧することができる通信端末、情報提供システムを提供する。【解決手段】複数のストリーミングサブ情報を無線基地局３から携帯電話１に送信し、携帯電話１ではストリーミングサブ情報を選択的に受信して第１の表示手段に表示し、このストリーミングサブ情報が表示されている場合に所定の操作を行うと、携帯電話１を識別する端末識別情報とともにストリーミングメイン情報要求信号が無線基地局に送信され、このストリーミングメイン情報要求信号を端末識別情報とともに無線基地局３を介して受信すると、この端末識別情報で特定されるストリーミングメイン情報を携帯電話に無線基地局から送信し、携帯電話１ではストリーミングメイン情報を受信して第２の表示手段に表示する。【選択図】図２
2005328293.tif 000002
【特許請求の範囲】
【請求項１】
送信元から順次送信される第１の情報を表示し得る第１の表示手段と、
この第１の情報に係る第２の情報を前記送信元に要求する要求手段と、
この要求に対応して送信される第２の情報を表示し得る第２の表示手段と
を有することを特徴とする通信端末。
【請求項２】
前記第１の情報が、予め送信を希望する内容が送信元に登録され、この登録された内容の情報が存在するときに当該通信端末に対して送信されることを特徴とする請求項１記載の通信端末。
【請求項３】
ストリーミングサブ情報を表示する第１の表示手段と、
前記ストリーミングサブ情報に関連するストリーミングメイン情報を表示する第２の表示手段と、
順次、送信されるストリーミングサブ情報を受信し、このストリーミングサブ情報を前記第１の表示手段に表示するように制御するサブ情報受信手段と、
前記第１の表示手段にストリーミングサブ情報が表示されている場合に所定の操作が行われたとき、当該通信端末を識別する端末識別情報とともにストリーミングメイン情報要求信号を送信する要求送信手段と、
このストリーミングメイン情報要求信号に対して送信されてくるストリーミングメイン情報を受信し、前記第２の表示手段に表示するように制御するストリーミングメイン情報受信手段と、
を有することを特徴とする通信端末。
【請求項４】
前記サブ情報受信手段は、前記ストリーミングサブ情報の受信とともに当該ストリーミングサブ情報を特定する特定情報を受信して登録する特定情報登録手段を有し、
前記要求送信手段は、前記所定の操作が行われたときに表示されていたストリーミングサブ情報を特定する特定情報を前記特定情報登録手段から取得し、この取得した特定情報を前記端末識別情報およびストリーミングメイン情報要求信号とともに送信する手段を有することを特徴とする請求項３記載の通信端末。
【請求項５】
前記ストリーミングサブ情報およびストリーミングメイン情報を予め登録するための登録要求信号を、ストリーミングサブ情報とストリーミングメイン情報を特定する情報識別情報および端末識別情報とともに送信する登録要求送信手段を有し、
前記サブ情報受信手段は、
前記登録要求信号に対して送信されてくるストリーミングサブ情報を受信し、このストリーミングサブ情報を前記第１の表示手段に表示するように制御する手段を有する
ことを特徴とする請求項３記載の通信端末。
【請求項６】
前記第１の表示手段は、光反射方式で前記ストリーミングサブ情報を表示するように構成され、前記第２の表示手段は、光透過方式或いは半透過方式で前記ストリーミングメイン情報を表示するように構成されることを特徴とする請求項３乃至５のいずれか１項に記載の通信端末。
【請求項７】
前記第１の表示手段は、前記ストリーミングサブ情報を白黒または比較的に少ない種類のカラーかつ比較的少ない情報量で表示するように構成されることを特徴とする請求項３乃至６のいずれか１項に記載の通信端末。
【請求項８】
前記通信端末は、ディスプレイを有する携帯電話であり、前記第１の表示手段は、前記ディスプレイの上部または下部に位置する比較的小さい表示領域で構成され、前記第２の表示手段は、前記ディスプレイの、前記第１の表示手段を除く他の大部分の表示領域で構成されることを特徴とする請求項３乃至７のいずれか１項に記載の通信端末。
【請求項９】
前記通信端末は、メインディスプレイを折り畳んだ内側に有し、サブディスプレイを外側に有する折り畳み形式の携帯電話であり、前記第１の表示手段は、前記サブディスプレイに形成され、前記第２の表示手段は、前記メインディスプレイに形成されることを特徴とする請求項３乃至７のいずれか１項に記載の通信端末。
【請求項１０】
前記所定の操作は、通信端末に設けられているキーを操作することにより行われるものであることを特徴とする請求項３乃至９のいずれか１項に記載の通信端末。
【請求項１１】
前記第２の表示手段に表示されるストリーミングメイン情報は、前記ストリーミングメイン情報要求信号のほぼ送信時点から将来方向に所定時間表示されるかまたは前記ストリーミングメイン情報要求信号のほぼ送信時点を中心に過去に所定時間遡って表示し、それから前記送信時点から将来方向に所定時間表示するかまたは前記送信時間から将来方向に停止指示が入力されるまで継続的に表示するように構成されていることを特徴とする請求項３乃至１０のいずれか１項に記載の通信端末。
【請求項１２】
通信端末においてストリーミングメイン情報を受信して表示するためのコンピュータが実行可能な通信端末における制御プログラムであって、
前記コンピュータを
送信されるストリーミングサブ情報を受信し、このストリーミングサブ情報を第１の表示手段に表示するように制御するサブ情報受信手段と、
第１の表示手段にストリーミングサブ情報が表示されている場合に所定の操作が行われたとき、当該通信端末を識別する端末識別情報とともにストリーミングメイン情報要求信号を送信する要求送信手段と、
このストリーミングメイン情報要求信号に応答して送信されてくるストリーミングメイン情報を受信し、第２の表示手段に表示するように制御するストリーミングメイン情報受信手段と
して機能させることを特徴とする通信端末における制御プログラム。
【請求項１３】
複数のストリーミングサブ情報を送信するサブ情報送信手段と、
ストリーミングメイン情報要求信号を端末識別情報とともに受信する受信手段と、
この受信した端末識別情報で特定されるストリーミングメイン情報を前記端末識別情報で識別される通信端末に送信するストリーミングメイン情報送信手段と
を有することを特徴とする情報提供システム。
【請求項１４】
前記サブ情報送信手段は、前記複数のストリーミングサブ情報の各々に対して各ストリーミングサブ情報を特定する特定情報を各ストリーミングサブ情報とともに送信する特定情報送信手段を有し、
前記受信手段は、前記ストリーミングサブ情報を特定する特定情報を前記ストリーミングメイン情報要求信号および端末識別情報とともに受信する手段を有し、
前記ストリーミングメイン情報送信手段は、前記受信した端末識別情報で特定されるストリーミングメイン情報として前記特定情報で特定されるストリーミングサブ情報に対応するストリーミングメイン情報を前記端末識別情報の通信端末に送信する手段を有する
ことを特徴とする請求項１３記載の情報提供システム。
【請求項１５】
前記ストリーミングサブ情報およびストリーミングメイン情報を各通信端末の端末識別情報に対応して予め登録している登録手段を有し、
前記サブ情報送信手段は、
端末識別情報に対応して予め前記登録手段に登録されているストリーミングサブ情報を該端末識別情報の通信端末に送信する手段を有し、
前記ストリーミングメイン情報送信手段は、前記受信した端末識別情報で特定されるストリーミングメイン情報として端末識別情報に対応して予め前記登録手段に登録されているストリーミングメイン情報を該端末識別情報の通信端末に送信する手段を有することを特徴とする請求項１３記載の情報提供システム。
【請求項１６】
前記ストリーミングサブ情報およびストリーミングを予め登録するための登録要求信号を、ストリーミングサブ情報とストリーミングメイン情報を特定する情報識別情報および端末識別情報とともに受信し、端末識別情報に対応してストリーミングサブ情報とストリーミングメイン情報を特定する情報識別情報を登録する受信登録手段を有し、
前記サブ情報送信手段は、前記登録要求信号とともに受信した情報識別情報に対応するストリーミングサブ情報を前記受信登録手段から取得して前記端末識別情報の通信端末に送信する手段とを有し、
前記ストリーミングメイン情報送信手段は、前記ストリーミングメイン情報要求信号を端末識別情報とともに受信すると、この受信した端末識別情報に対応する情報識別情報を前記受信登録手段から取得し、この情報識別情報で特定されるストリーミングメイン情報を端末識別情報で識別される通信端末に送信する手段を有する
ことを特徴とする請求項１３記載の情報提供システム。
【請求項１７】
前記ストリーミングメイン情報送信手段は、前記ストリーミングメイン情報要求信号のほぼ受信時点から将来方向に所定時間ストリーミングメイン情報を送信するかまたは前記ストリーミングメイン情報要求信号のほぼ受信時点を中心に過去に所定時間遡ってストリーミングメイン情報を送信し、それからほぼ受信時点から将来方向に所定時間送信するかまたはほぼ受信時間から将来方向に停止指示が入力されるまで継続的に送信する手段を有することを特徴とする請求項１３乃至１６のいずれか１項に記載の情報提供システム。
【請求項１８】
通信端末に対してストリーミングメイン情報を送信するためのコンピュータが実行可能な情報提供システムにおける制御プログラムであって、
前記コンピュータを
複数のストリーミングサブ情報を送信するサブ情報送信手段と、
ストリーミングメイン情報要求信号を端末識別情報とともに受信する受信手段と、
この受信した端末識別情報で特定されるストリーミングメイン情報を前記端末識別情報で識別される通信端末に送信するストリーミングメイン情報送信手段と
して機能させることを特徴とする情報提供システムにおける制御プログラム。
【請求項１９】
携帯電話システムに設けられ、ストリーミングメイン情報を無線基地局から無線回線を介して携帯電話に提供する情報提供システムであって、
複数のストリーミングサブ情報を無線基地局から無線回線を介して携帯電話に対して送信するサブ情報送信手段と、
携帯電話から無線回線を介して送信されるストリーミングメイン情報要求信号を端末識別情報とともに無線基地局を介して受信する受信手段と、
この受信した端末識別情報で特定されるストリーミングメイン情報を前記端末識別情報で識別される携帯電話に無線基地局から無線回線を介して送信するストリーミングメイン情報送信手段と
を有し、
前記携帯電話は、
ストリーミングサブ情報を表示する第１の表示手段と、
前記ストリーミングサブ情報に関連するストリーミングメイン情報を表示する第２の表示手段と、
無線基地局から無線回線を介して送信されてくるストリーミングサブ情報を選択的に受信し、このストリーミングサブ情報を前記第１の表示手段に表示するように制御するサブ情報受信手段と、
前記第１の表示手段にストリーミングサブ情報が表示されている場合に所定の操作が行われたとき、当該携帯電話を識別する端末識別情報とともにストリーミングメイン情報要求信号を無線回線を介して無線基地局に送信する要求送信手段と、
このストリーミングメイン情報要求信号に対して無線基地局から無線回線で送信されてくるストリーミングメイン情報を受信し、前記第２の表示手段に表示するように制御するストリーミングメイン情報受信手段と
を有し、
前記情報提供システムは、
前記ストリーミングメイン情報要求信号に応答して無線基地局から無線回線でストリーミングメイン情報を携帯電話端末に送信した場合、当該携帯電話端末に対して課金を行う課金手段を有する
ことを特徴とする情報提供システム。
【発明の詳細な説明】
【技術分野】
【０００１】
本発明は、ストリーミングメイン情報を受信して表示する通信端末、ストリーミングメイン情報を通信端末に送信する情報提供システムおよびそれぞれの制御プログラムに関し、更に具体的には、携帯電話システムに設けられ、ストリーミングメイン情報を無線基地局から無線回線を介して各携帯電話に提供する情報提供システム、前記携帯電話である通信端末およびそれぞれの制御プログラムに関する。
【背景技術】
【０００２】
近年のＩＴ技術の飛躍的な発展および高精細なカラー表示を行うことができるアクティブマトリックス型液晶表示装置の実用化により携帯電話は、高機能化、小型化、軽量化、低消費電力化を達成することができるようになってきている。特に、アクティブマトリックス型液晶表示装置の使用により表示画面は高コントラストで鮮明な表示が得られ、動画表示も残像やフリッカーもない円滑な表示が得られるようになってきている。
【０００３】
携帯電話は、一般にメインディスプレイとサブディスプレイの２つの液晶表示パネルを備えるとともに、各ディスプレイは作動時には主としてバックライトを使用した光透過方式で明るく鮮明な表示を行うも、未使用時においてはバックライトを使用しない光反射方式で低消費電力により表示を行うことなども行われている。
【特許文献１】特開２００２−３０３８６３号公報
【発明の開示】
【発明が解決しようとする課題】
【０００４】
上述したように、高機能化および低電力化を達成しつつある携帯電話において、利用者の利便性を考慮して、低電力化を維持しながらも更なる高機能化を図るべく研究開発が行われている。特に、常時閲覧して使用するわけではないが、必要な時にはその瞬間の映像を即座に閲覧したいという要望がある。
【０００５】
例えば、サッカーの試合が行われている場合において、サッカーの試合の中継を継続的に常時見ているのでなく、得点が入ったことが分かった場合、この得点の入った時の映像を即座に閲覧したいという要望があるが、従来の携帯電話では、このように得点の入った時の映像を即座に閲覧することができるものはないという問題があり、このような映像を即座に閲覧できる携帯電話に対する要望がある。
【０００６】
本発明は、上記に鑑みてなされたもので、その目的とするところは、送信されるストリーミングサブ情報から閲覧したい情報を即座に閲覧することができる通信端末、情報提供システムおよび制御プログラムを提供することにある。
【課題を解決するための手段】
【０００７】
上記目的を達成するため、請求項１記載の本発明の通信端末は、送信元から順次送信される第１の情報を表示し得る第１の表示手段と、この第１の情報に係る第２の情報を前記送信元に要求する要求手段と、この要求に対応して送信される第２の情報を表示し得る第２の表示手段とを有することを要旨とする。
【０００８】
請求項２記載の本発明の通信端末では、前記第１の情報が、予め送信を希望する内容が送信元に登録され、この登録された内容の情報が存在するときに当該通信端末に対して送信されることを要旨とする。
【０００９】
請求項３記載の本発明の通信端末では、ストリーミングサブ情報を表示する第１の表示手段と、前記ストリーミングサブ情報に関連するストリーミングメイン情報を表示する第２の表示手段と、送信されるストリーミングサブ情報を選択的に受信し、このストリーミングサブ情報を前記第１の表示手段に表示するように制御するサブ情報受信手段と、前記第１の表示手段にストリーミングサブ情報が表示されている場合に所定の操作が行われたとき、当該通信端末を識別する端末識別情報とともにストリーミングメイン情報要求信号を送信する要求送信手段と、このストリーミングメイン情報要求信号に対して送信されてくるストリーミングメイン情報を受信し、前記第２の表示手段に表示するように制御するストリーミングメイン情報受信手段とを有することを要旨とする。
【００１０】
請求項４記載の本発明の通信端末では、前記サブ情報受信手段は、前記ストリーミングサブ情報の受信とともに、当該ストリーミングサブ情報を特定する特定情報を受信して登録する特定情報登録手段を有し、前記要求送信手段は、前記所定の操作が行われたときに表示されていたストリーミングサブ情報を特定する特定情報を前記特定情報登録手段から取得し、この取得した特定情報を前記端末識別情報およびストリーミングメイン情報要求信号とともに送信する手段を有することを要旨とする。
【００１１】
請求項５記載の本発明の通信端末では、前記ストリーミングサブ情報およびストリーミングメイン情報を予め登録するための登録要求信号を、ストリーミングサブ情報とストリーミングメイン情報を特定する情報識別情報および端末識別情報とともに送信する登録要求送信手段を有し、前記サブ情報受信手段は、前記登録要求信号に対して送信されるストリーミングサブ情報を受信し、このストリーミングサブ情報を前記第１の表示手段に表示するように制御する手段を有することを要旨とする。
【００１２】
請求項６記載の本発明の通信端末では、前記第１の表示手段は、光反射方式或いは半透過方式で前記ストリーミングサブ情報を表示するように構成され、前記第２の表示手段は、光透過方式で前記ストリーミングメイン情報を表示するように構成されることを要旨とする。
【００１３】
請求項７記載の本発明の通信端末では、前記第１の表示手段は、前記ストリーミングサブ情報を白黒または比較的に少ない種類のカラーかつ比較的少ない情報量で表示するように構成されることを要旨とする。
【００１４】
請求項８記載の本発明の通信端末では、前記通信端末は、ディスプレイを有する携帯電話であり、前記第１の表示手段は、前記ディスプレイの上部または下部に位置する比較的小さい表示領域で構成され、前記第２の表示手段は、前記ディスプレイの、前記第１の表示手段を除く他の大部分の表示領域で構成されることを要旨とする。
【００１５】
請求項９記載の本発明の通信端末では、前記通信端末は、メインディスプレイを折り畳んだ内側に有し、サブディスプレイを外側に有する折り畳み形式の携帯電話であり、前記第１の表示手段は、前記サブディスプレイに形成され、前記第２の表示手段は、前記メインディスプレイに形成されることを要旨とする。
【００１６】
請求項１０記載の本発明の通信端末では、前記所定の操作は、通信端末に設けられているキーを操作することにより行われるものであることを要旨とする。
【００１７】
請求項１１記載の本発明の通信端末では、前記第２の表示手段に表示されるストリーミングメイン情報は、前記ストリーミングメイン情報要求信号のほぼ送信時点から将来方向に所定時間表示されるかまたは前記ストリーミングメイン情報要求信号のほぼ送信時点を中心に過去に所定時間遡って表示し、それから前記送信時点から将来方向に所定時間表示するかまたは前記送信時間から将来方向に停止指示が入力されるまで継続的に表示するように構成されていることを要旨とする。
【００１８】
請求項１２記載の本発明の通信端末は、通信端末においてストリーミングメイン情報を受信して表示するためのコンピュータが実行可能な通信端末における制御プログラムであって、前記コンピュータを送信されるストリーミングサブ情報を受信し、このストリーミングサブ情報を第１の表示手段に表示するように制御するサブ情報受信手段と、第１の表示手段にストリーミングサブ情報が表示されている場合に所定の操作が行われたとき、当該通信端末を識別する端末識別情報とともにストリーミングメイン情報要求信号を送信する要求送信手段と、このストリーミングメイン情報要求信号に応答して送信されてくるストリーミングメイン情報を受信し、第２の表示手段に表示するように制御するストリーミングメイン情報受信手段として機能させることを要旨とする。
【００１９】
請求項１３記載の本発明の情報提供システムは、複数のストリーミングサブ情報を順次、送信するサブ情報送信手段と、ストリーミングメイン情報要求信号を端末識別情報とともに受信する受信手段と、この受信した端末識別情報で特定されるストリーミングメイン情報を前記端末識別情報で識別される通信端末に送信するストリーミングメイン情報送信手段とを有することを要旨とする。
【００２０】
請求項１４記載の本発明の情報提供システムでは、前記サブ情報送信手段は、前記複数のストリーミングサブ情報の各々に対して各ストリーミングサブ情報を特定する特定情報を各ストリーミングサブ情報とともに送信する特定情報送信手段を有し、前記受信手段は、前記ストリーミングサブ情報を特定する特定情報を前記ストリーミングメイン情報要求信号および端末識別情報とともに受信する手段を有し、前記ストリーミングメイン情報送信手段は、前記受信した端末識別情報で特定されるストリーミングメイン情報として前記特定情報で特定されるストリーミングサブ情報に対応するストリーミングメイン情報を前記端末識別情報の通信端末に送信する手段を有することを要旨とする。
【００２１】
請求項１５記載の本発明の情報提供システムでは、各通信端末に送信するストリーミングサブ情報およびストリーミングメイン情報を各通信端末の端末識別情報に対応して予め登録している登録手段を有し、前記サブ情報送信手段は、端末識別情報に対応して予め前記登録手段に登録されているストリーミングサブ情報を該端末識別情報の通信端末に順次、送信する手段を有し、前記ストリーミングメイン情報送信手段は、前記受信した端末識別情報で特定されるストリーミングメイン情報として端末識別情報に対応して予め前記登録手段に登録されているストリーミングメイン情報を該端末識別情報の通信端末に送信する手段を有することを要旨とする。
【００２２】
請求項１６記載の本発明の情報提供システムでは、前記ストリーミングサブ情報およびストリーミングを予め登録するための登録要求信号を、ストリーミングサブ情報とストリーミングメイン情報を特定する情報識別情報および端末識別情報とともに受信し、端末識別情報に対応してストリーミングサブ情報とストリーミングメイン情報を特定する情報識別情報を登録する受信登録手段を有し、前記サブ情報送信手段は、前記登録要求信号とともに受信した情報識別情報に対応するストリーミングサブ情報を前記受信登録手段から取得して前記端末識別情報の通信端末に順次、送信する手段とを有し、前記ストリーミングメイン情報送信手段は、前記ストリーミングメイン情報要求信号を端末識別情報とともに受信すると、この受信した端末識別情報に対応する情報識別情報を前記受信登録手段から取得し、この情報識別情報で特定されるストリーミングメイン情報を端末識別情報で識別される通信端末に送信する手段を有することを要旨とする。
【００２３】
請求項１７記載の本発明の情報提供システムは、前記ストリーミングメイン情報送信手段は、前記ストリーミングメイン情報要求信号のほぼ受信時点から将来方向に所定時間ストリーミングメイン情報を送信するかまたは前記ストリーミングメイン情報要求信号のほぼ受信時点を中心に過去に所定時間遡ってストリーミングメイン情報を送信し、それからほぼ受信時点から将来方向に所定時間送信するかまたはほぼ受信時間から将来方向に停止指示が入力されるまで継続的に送信する手段を有することを要旨とする。
【００２４】
請求項１８記載の本発明の情報提供システムは、通信端末に対してストリーミングメイン情報を送信するためのコンピュータが実行可能な情報提供システムにおける制御プログラムであって、前記コンピュータを複数のストリーミングサブ情報を順次、送信するサブ情報送信手段と、ストリーミングメイン情報要求信号を端末識別情報とともに受信する受信手段と、この受信した端末識別情報で特定されるストリーミングメイン情報を前記端末識別情報で識別される通信端末に送信するストリーミングメイン情報送信手段として機能させることを要旨とする。
【００２５】
請求項１９記載の本発明の情報提供システムは、携帯電話システムに設けられ、ストリーミングメイン情報を無線基地局から無線回線を介して各携帯電話に提供する情報提供システムであって、複数のストリーミングサブ情報を無線基地局から無線回線を介して携帯電話に対して順次、送信するサブ情報送信手段と、携帯電話から無線回線を介して送信されるストリーミングメイン情報要求信号を端末識別情報とともに無線基地局を介して受信する受信手段と、この受信した端末識別情報で特定されるストリーミングメイン情報を前記端末識別情報で識別される携帯電話に無線基地局から無線回線を介して送信するストリーミングメイン情報送信手段とを有し、前記携帯電話は、ストリーミングサブ情報を表示する第１の表示手段と、前記ストリーミングサブ情報に関連するストリーミングメイン情報を表示する第２の表示手段と、無線基地局から無線回線を介して送信されてくるストリーミングサブ情報を選択的に受信し、このストリーミングサブ情報を前記第１の表示手段に表示するように制御するサブ情報受信手段と、前記第１の表示手段にストリーミングサブ情報が表示されている場合に所定の操作が行われたとき、当該携帯電話を識別する端末識別情報とともにストリーミングメイン情報要求信号を無線回線を介して無線基地局に送信する要求送信手段と、このストリーミングメイン情報要求信号に対して無線基地局から無線回線で送信されてくるストリーミングメイン情報を受信し、前記第２の表示手段に表示するように制御するストリーミングメイン情報受信手段とを有し、前記情報提供システムは、前記ストリーミングメイン情報要求信号に応答して無線基地局から無線回線でストリーミングメイン情報を携帯電話端末に送信した場合、当該携帯電話端末に対して課金を行う課金手段を有することを要旨とする。
【発明の効果】
【００２６】
本発明によれば、通信端末は、送信元から順次送信される第１の情報を第１の表示手段に表示し、この表示手段に表示された第１の情報に係る第２の情報の供給を要求手段により前記送信元に要求すると、この要求に対応して第２の情報が送信され第２の表示手段に表示されので、必要な時に必要とする映像などの情報を即座に閲覧でき、利便性を著しく向上することができる。
【００２７】
本発明によれば、前記第１の情報が、予め送信を希望する内容が送信元に登録されることから、さらに利便性を著しく向上することができる。
【００２８】
本発明によれば、通信端末は送信されてくるストリーミングサブ情報を受信し、このストリーミングサブ情報を第１の表示手段に表示し、第１の表示手段にストリーミングサブ情報が表示されている場合に所定の操作が行われたとき、ストリーミングメイン情報要求信号を端末識別情報とともに送信し、このストリーミングメイン情報要求信号に対して送信されてくるストリーミングメイン情報を受信し、第２の表示手段に表示するので、常時閲覧して使用するわけではないが、必要な時にはその瞬間の映像などの情報を即座に閲覧でき、利便性を著しく向上することができる。具体的には、例えばサッカーの試合が中継されている場合において、このサッカーの試合の中継をストリーミングメイン情報として継続的に常時見ているのではなく、ストリーミングサブ情報で得点が入ったことが分かった場合、この得点の入った時の映像であるストリーミングメイン情報を即座に閲覧することができ、利便性を著しく向上することができる。
【００２９】
本発明によれば、通信端末はストリーミングサブ情報の受信とともに該ストリーミングサブ情報を特定する特定情報を受信して登録し、所定の場所が行われたときに表示されていたストリーミングサブ情報を特定する特定情報を取得し、この特定情報を端末識別情報およびストリーミングメイン情報要求信号とともに送信するので、閲覧したいストリーミングメイン情報がある場合に、このストリーミングサブ情報を選択的に受信すると、このストリーミングメイン情報の特定情報を得ることができて、この特定情報で閲覧したいストリーミングメイン情報を特定できるため、利用者は閲覧したいと思うストリーミングメイン情報を予め登録するという煩雑な操作の必要がなく、簡単かつ効率的にストリーミングメイン情報を閲覧することができる。
【００３０】
本発明によれば、通信端末はストリーミングサブ情報およびストリーミングメイン情報を予め登録するための登録要求信号を送信し、この登録要求信号に対して送信されてくるストリーミングサブ情報を受信するので、予め登録したストリーミングサブ情報およびストリーミングメイン情報を閲覧することができる。
【００３１】
本発明によれば、通信端末の第１の表示手段は光反射方式或いは半透過方式でストリーミングサブ情報を表示し、第２の表示手段は光透過方式でストリーミングメイン情報を表示するので、ストリーミングサブ情報を常時表示する第１の表示手段は低電力で作動でき、経済的である。
【００３２】
本発明によれば、通信端末の第１の表示手段はストリーミングサブ情報を白黒または比較的に少ない種類のカラーかつ比較的少ない情報量で表示するので、当該ストリーミングサブ情報を送信する側において送信する情報量を著しく低減できる。
【００３３】
本発明によれば、通信端末の第１の表示手段は携帯電話のディスプレイの上部または下部に位置する比較的小さい表示領域で構成され、第２の表示手段は第１の表示手段を除く他の大部分の表示領域で構成されるので、第１の表示手段に表示されたストリーミングサブ情報を閲覧しながら第２の表示手段に表示されたストリーミングメイン情報を大画面で効率的に閲覧することができる。
【００３４】
本発明によれば、通信端末の第１の表示手段は折り畳み携帯電話の外側のサブディスプレイで形成され、第２の表示手段はメインディスプレイに形成されるので、携帯電話を折り畳んだままで第１の表示手段に表示されたストリーミングサブ情報を効率的に閲覧することができる。
【００３５】
本発明によれば、通信端末に設けられているキーを操作することにより所定の操作が行われるので、ストリーミングメイン情報を簡単な操作で表示することができる。
【００３６】
本発明によれば、ストリーミングメイン情報はストリーミングメイン情報要求信号のほぼ送信時点から将来方向に所定時間表示されるかまたはストリーミングメイン情報要求信号のほぼ送信時点を中心に過去に所定時間遡って表示し、それから送信時点から将来方向に所定時間表示するかまたは送信時間から将来方向に停止指示が入力されるまで継続的に表示するので、ストリーミングメイン情報要求信号のほぼ送信時点から将来方向に所定時間だけでなく、過去に遡ったり、将来方向に継続的に表示でき、利便性を向上することができる。
【００３７】
本発明によれば、情報提供システムは複数のストリーミングサブ情報を順次、送信し、ストリーミングメイン情報要求信号を端末識別情報とともに受信すると、この受信した端末識別情報で特定されるストリーミングメイン情報を端末識別情報で識別される通信端末に送信するので、常時閲覧して使用するわけではないが、必要な時にはその瞬間の映像などの情報を即座に閲覧でき、利便性を著しく向上することができる。具体的には、例えばサッカーの試合が中継されている場合において、このサッカーの試合の中継をストリーミングメイン情報として継続的に常時見ているのでなく、ストリーミングサブ情報で得点が入ったことが分かった場合、この得点の入った時の映像であるストリーミングメイン情報を即座に閲覧することができ、利便性を向上することができる。
【００３８】
本発明によれば、情報提供システムは各ストリーミングサブ情報を特定する特定情報を各ストリーミングサブ情報とともに送信し、特定情報をストリーミングメイン情報要求信号および端末識別情報とともに受信すると、この特定情報で特定されるストリーミングサブ情報に対応するストリーミングメイン情報を送信するので、利用者にとっては閲覧したいと思うストリーミングメイン情報を予め登録するという煩雑な操作の必要がなく、簡単かつ効率的にストリーミングメイン情報を閲覧することができる。
【００３９】
本発明によれば、情報提供システムはストリーミングサブ情報およびストリーミングメイン情報を各通信端末の端末識別情報に対応して予め登録しておき、端末識別情報に対応して予め登録されているストリーミングサブ情報を該端末識別情報の通信端末に順次、送信し、ストリーミングメイン情報要求信号を受信すると、端末識別情報に対応して予め登録されているストリーミングメイン情報を送信するので、予め登録したストリーミングサブ情報およびストリーミングメイン情報を閲覧することができる。
【００４０】
本発明によれば、情報提供システムはストリーミングサブ情報およびストリーミングを予め登録するための登録要求信号を、ストリーミングサブ情報とストリーミングメイン情報を特定する情報識別情報および端末識別情報とともに受信し、この情報識別情報に対応するストリーミングサブ情報を取得して通信端末に順次、送信し、ストリーミングメイン情報要求信号を端末識別情報とともに受信すると、この端末識別情報に対応する情報識別情報を取得し、この情報識別情報で特定されるストリーミングメイン情報を送信するので、予め登録したストリーミングサブ情報およびストリーミングメイン情報を閲覧することができる。
【００４１】
本発明によれば、情報提供システムはストリーミングメイン情報要求信号のほぼ受信時点から将来方向に所定時間ストリーミングメイン情報を送信するかまたはストリーミングメイン情報要求信号のほぼ受信時点を中心に過去に所定時間遡ってストリーミングメイン情報を送信し、それからほぼ受信時点から将来方向に所定時間送信するかまたはほぼ受信時間から将来方向に停止指示が入力されるまで継続的に送信するので、ストリーミングメイン情報要求信号のほぼ受信時点から将来方向に所定時間だけでなく、過去に遡ったり、将来方向に継続的にでき、利便性を向上することができる。
【発明を実施するための最良の形態】
【００４２】
以下、図面を用いて、本発明を実施するための最良の形態（以下、実施形態と称する）を説明する。
【００４３】
図１は、本発明の一実施形態に係わる通信端末を構成する携帯電話１の外観構造を示す斜視図である。同図に示す携帯電話１は、一例として折り畳み式のものであり、この折り畳まれて対向する一方の内側にはメインディスプレイ１０が設けられ、他方の内側には電話番号を入力するための数字ボタンなどからなる複数の操作キーからなる操作部２０が設けられている。
【００４４】
メインディスプレイ１０は、その上部に設けられた比較的小さい表示領域の第１の表示手段を構成する第１の表示部１１と、その第１の表示部１１の下方に構成される大きい表示領域の第２の表示手段を構成する第２の表示部１３とを有する。また、操作部２０には、後述するホットキー１５が設けられている。
【００４５】
第１の表示部１１は、バックライトを使用しない光反射方式で情報の表示を行うことが可能であるように構成され、また図１に示すように、表示領域が小さく、例えば白黒または比較的少ない種類のカラーで、例えば１０文字１行の文字情報や簡単な画像などのように比較的少ない情報量の情報を表示し得るようになっている。なお第１の表示部１１は光透過方式或いは半透過方式であっても良いが本実施形態においては光反射方式が好適であることから光反射方式を例に説明する。
【００４６】
第２の表示部１３は、バックライトを使用する光透過方式によりフルカラーで文字情報のみならず、静止画像、動画像などの各種情報をより鮮明に表示するように構成されている。また携帯電話１にはＲＡＭ等により構成される図示しない記憶部が設けられ、供給される各種コンテンツを必要に応じて適宜、選択して表示部１１，１３で表示出来るようになっている。
【００４７】
図２は、本発明の一実施形態に係わる情報提供システムを構成する携帯電話システムの構成を示す図である。同図に示す携帯電話システムは、図１に示した携帯電話１の各々と無線回線を介して通信を行う無線基地局３と、この無線基地局３に接続された制御局５と、この制御局５に接続され、制御局５に対して静止画像や動画像を含む各種コンテンツ、例えばスポーツ中継画像、ニュース、映画、地図情報、書籍情報等をそれぞれ供給するムービーカメラ６１、テレビ（ＴＶ）局６３、コンテンツ提供装置６５とから構成されている。
【００４８】
また、制御局５は、携帯電話接続処理に加えて本実施形態の情報提供システムの情報提供処理を実施するサーバ５１、コンテンツ提供装置６５などから提供されるコンテンツを登録しているコンテンツデータベース（ＤＢ）５３、後述するようにストリーミングメイン情報を提供した携帯電話１に対する課金を個々の携帯端末毎に行う課金データベース（ＤＢ）５５を有する。
【００４９】
図２に示す携帯電話システムに構成される情報提供システムは、無線基地局３を介して無線回線で接続されている多数の携帯電話１に対して、例えばムービーカメラ６１から受信した動画情報やテレビ局６３から受信したテレビ情報、具体的には例えばテレビ局６３で中継されているサッカーや野球の試合などの連続したテレビ情報をストリーミングメイン情報として各携帯電話１に送信し得るとともに、このストリーミングメイン情報を中継情報としてそのまま垂れ流しで各携帯電話１に送信するだけでなく、この連続したストリーミングメイン情報を適宜、例えばイベント毎に、あるいは５分間隔でサンプリングして、例えば１秒〜数秒だけ取り出したストリーミングメイン情報またはその要約情報をストリーミングサブ情報として各携帯電話１にプッシュ技術を利用して順次送信するようにしているものである。
【００５０】
このストリーミングサブ情報は、ストリーミングメイン情報が例えばサッカーの試合を最初から最後まで連続的に中継した連続情報であるのに対して、例えば５分間隔で取り出し内容を要約したものであり、具体的には、例えば図３に示すように、「サッカーの試合が開始」、「５分経過、得点［０：０］」、…「中田得点１５分［１：０］」…などのようなストリーミングサブ情報が文字情報または簡単な画像情報として例えば５分毎に送信されてくるものである。なお、このストリーミングサブ情報は、ストリーミングメイン情報を所定の間隔で取り出したストリーミングメイン情報そのものである必要は、所定の間隔の時点におけるストリーミングメイン情報の内容を例えば文字で要約した内容を示す情報であったり、またはこの時点までの経過内容を要約した内容の情報などであってもよいものである。
【００５１】
このようにストリーミングサブ情報を例えば５分などの所定の間隔で各携帯電話１に送信している状態において、携帯電話１は、この順次、送信されてくるストリーミングサブ情報を逐次受信すると、ＲＡＭ等の記憶部に記憶すると共にこのストリーミングサブ情報を第１の表示部１１に表示する。
【００５２】
従って、携帯電話１の利用者は、第１の表示部１１に例えば５分毎に表示されるストリーミングサブ情報を閲覧しながら、例えば上述したサッカーの試合の経過を適宜知ることができるとともに、第１の表示部１１に表示されたストリーミングサブ情報が５分毎などに変化して、例えば上述したように「中田得点１５分［１：０］」なる文字情報または画像情報からなるストリーミングサブ情報が第１の表示部１１に表示されたのを見た時、例えば上述したホットキー１５を操作するなどの所定の操作を行うと、この「中田得点１５分［１：０］」なるストリーミングサブ情報に関連するストリーミングメイン情報、例えば中田がシュートして得点した中継情報がストリーミングメイン情報として第２の表示部１３にフルカラーで即座に詳細に表示され、これにより携帯電話１の利用者はサッカーの試合を常時見ていなくても、シュートした等の肝心の映像のみを効率的に閲覧することができるのである。
【００５３】
また、情報提供システムは、ストリーミングメイン情報として例えばサッカーの試合のような１つの中継情報のみを無線基地局３から送信しているのでなく、例えばサッカーの試合の中継に加えて、野球の試合の中継、重大事件の中継、ニュース番組の中継、ドラマの中継、観光地の風景の中継、各スキー場の中継、更にはサッカーの試合の中継でも東京ＦＣ対名古屋グランパスの試合、浦和レッズ対大分トリニータの試合などのように各チーム毎の試合の中継、野球の試合の中継でも１つの試合のみでなく、各チームの試合の中継、更には大リーグの野球の中継などのように例えば１００種類程度の複数のストリーミングメイン情報を無線基地局３から送信するとともに、複数のストリーミングメイン情報に対応する複数のストリーミングサブ情報を例えば５分毎に無線基地局３から例えば別々のタイミングを使用するかまたは個別のチャネル、あるいはコードを使用するなどして送信するようになっている。
【００５４】
更に詳しく説明すると、上述した機能を達成するために、本実施形態の情報提供システムは、図２に示すように、無線基地局３から無線回線を介して複数のストリーミングサブ情報を携帯電話１に対して順次、送信するサブ情報送信手段と、携帯電話１から無線回線を介して送信されるストリーミングメイン情報要求信号を携帯電話１を識別するための端末識別情報とともに無線基地局３を介して受信する受信手段と、この受信した端末識別情報で特定されるストリーミングメイン情報を前記端末識別情報で識別される携帯電話１に無線基地局３から無線回線を介して送信するストリーミングメイン情報送信手段と、ストリーミングメイン情報要求信号に応答して無線基地局３から無線回線でストリーミングメイン情報を携帯電話１に送信した場合、当該携帯電話１に対して課金を行う課金手段とを有する。
【００５５】
また、携帯電話１は、図１に示すように、ストリーミングサブ情報を表示する前記第１の表示部１１と、ストリーミングサブ情報に関連するストリーミングメイン情報を表示する前記第２の表示部１３と、無線基地局３から無線回線を介して送信されてくるストリーミングサブ情報を選択的に受信し、このストリーミングサブ情報を第１の表示部１１に表示するように制御するサブ情報受信手段と、第１の表示部１１にストリーミングサブ情報が表示されている場合に例えば前記ホットキー１５を操作するなどのように所定の操作が行われたとき、当該携帯電話１を識別する端末識別情報とともにストリーミングメイン情報要求信号を無線回線を介して無線基地局３に送信する要求送信手段と、このストリーミングメイン情報要求信号に応答して無線基地局３から無線回線で送信されてくるストリーミングメイン情報を受信し、第２の表示部１３に表示するように制御するストリーミングメイン情報受信手段とを有する。
【００５６】
次に、以上のように構成される情報提供システムおよび携帯電話１の作用について説明する。
【００５７】
まず、携帯電話システムの制御局５に設けられた情報提供システムは、制御局５においてテレビ局６３などからの例えばサッカーや野球の試合などの中継情報などであるストリーミングメイン情報を複数受信すると、この複数のストリーミングメイン情報を必要によりビデオ情報としてサーバ５１の制御により図示しない記録装置に蓄積するとともに、この複数のストリーミングメイン情報の各々を例えば５分毎にサンプリングし、このサンプリングした時点におけるストリーミングサブ情報を例えば文字情報または簡単な画像情報として複数作成し、この複数のストリーミングサブ情報を無線基地局３から無線回線を介して携帯電話１に向けて送信する。
【００５８】
各携帯電話１においては、無線基地局３から無線回線を介して送信されてくる複数のストリーミングサブ情報の中から所望の、例えばサッカーの試合のストリーミングサブ情報をサブ情報受信手段で選択的に受信し、この受信したストリーミングサブ情報をメインディスプレイ１０の第１の表示部１１に例えば図３（ａ）に示すように表示する。なお、図３（ａ）においては、携帯電話１のメインディスプレイ１０の第１の表示部１１に「サッカー試合が開始」なるストリーミングサブ情報が例えば白黒の文字で表示されているが、これは現時点においてサッカーの試合が今開始されたことを示しているものである。
【００５９】
携帯電話１の利用者は、第１の表示部１１に例えば５分毎に表示されるストリーミングサブ情報を適宜閲覧する。図３（ａ）に示すようにストリーミングサブ情報が表示されてから、５分経過すると、この時点におけるストリーミングサブ情報が図３（ｂ）に示すように例えば「５分経過、得点［０：０］」などのように表示され、利用者はこのストリーミングサブ情報を閲覧して、まだ得点はなく、サッカーの試合は０対０であることを知ることができる。
【００６０】
このように例えば５分毎に無線基地局３から無線回線を介して送信されてきて携帯電話１の第１の表示部１１に表示されるストリーミングサブ情報を携帯電話１の利用者が適宜見ていた場合に、例えば図３（ｃ）に示すように、「中田得点１５分［１：０］」なるストリーミングサブ情報が表示されたとすると、利用者がこの中田の得点シーンを見たい場合には、携帯電話１の操作部２０にある前記ホットキー１５を操作するなどの所定の操作を行う。
【００６１】
携帯電話１のホットキー１５が操作されるなどして所定の操作が行われると、携帯電話１は、ストリーミングメイン情報要求信号を生成し、前記所定の操作が行われたときに第１の表示部１１に表示されていたストリーミングサブ情報を特定する特定情報および当該携帯電話１を識別する端末識別情報とともに前記ストリーミングメイン情報要求信号を無線回線を介して無線基地局３に要求送信手段により送信する。
【００６２】
なお、前記所定の操作が行われたときに第１の表示部１１に表示されていたストリーミングサブ情報を特定する特定情報は、上述したように携帯電話１が複数のストリーミングサブ情報の中から所望のストリーミングサブ情報を選択的に受信しようとする場合に、この受信したストリーミングサブ情報とともに情報提供システムから無線基地局３を介して送信されてくるものである。更に詳しくは、携帯電話１は、前記サブ情報受信手段がストリーミングサブ情報の受信とともに、当該ストリーミングサブ情報を特定する特定情報を受信して登録する特定情報登録手段を有し、前記要求送信手段が前記所定の操作が行われたときに表示されていたストリーミングサブ情報を特定する特定情報を前記特定情報登録手段から取得し、この取得した特定情報を前記端末識別情報およびストリーミングメイン情報要求信号とともに送信する手段を有するものである。また、情報提供システムは、前記サブ情報受信手段は、前記複数のストリーミングサブ情報の各々に対して各ストリーミングサブ情報を特定する特定情報を各ストリーミングサブ情報とともに送信する特定情報送信手段を有し、前記受信手段がストリーミングサブ情報を特定する特定情報を前記ストリーミングメイン情報要求信号および端末識別情報とともに受信する手段を有し、前記ストリーミングメイン情報送信手段が前記受信した端末識別情報で特定されるストリーミングメイン情報として前記特定情報で特定されるストリーミングサブ情報に対応するストリーミングメイン情報を前記端末識別情報の通信端末に送信する手段を有するものである。
【００６３】
従って、携帯電話１は、このストリーミングサブ情報とともに送信されてくる前記特定情報をストリーミングサブ情報とともに受信すると、該特定情報を図示しないメモリなどに登録しておき、ストリーミングメイン情報要求信号の送信時にメモリなどから読み出して取得するものである。また、携帯電話１を識別する端末識別情報も携帯電話１のメモリなどに予め登録しているものである。
【００６４】
情報提供システムは、携帯電話１からの前記ストリーミングメイン情報要求信号を前記特定情報および端末識別情報とともに無線基地局３で受信すると、該特定情報で特定され、かつテレビ局６３などから受信しつつあるまたはビデオ情報として記録装置に記録されつつあるストリーミングメイン情報を端末識別情報で識別される携帯電話１に対して無線基地局３から無線回線を介してストリーミングメイン情報送信手段により送信する。
【００６５】
携帯電話１は、前記ストリーミングメイン情報要求信号に対して無線基地局３から無線回線を介して送信されてくるストリーミングメイン情報を受信すると、このストリーミングメイン情報を例えば図３（ｃ）に示すようにメインディスプレイ１０の第２の表示部１３に表示する。この結果、携帯電話１の第２の表示部１３には、前記「中田得点１５分［０：０］」なるストリーミングサブ情報に対応するストリーミングメイン情報、具体的にはサッカーで中田がシュートして得点した時点の詳しいフルカラーなどからなる映像が表示される。このようにストリーミングメイン情報が携帯電話１に送信されて表示されると、この表示に対する課金が携帯電話１に対して課金手段で行われ、制御局５の課金データベース５５に携帯電話１に対応して登録され、例えば月単位などにまとめて携帯電話１の利用者に課金に対する請求が行われる。
【００６６】
なお、上述したように、ストリーミングメイン情報要求信号により携帯電話１の第２の表示部１３に表示されるストリーミングメイン情報は、前記ストリーミングサブ情報に関連する例えば５〜１０分間などのように限られた所定の時間のみ携帯電話１の第２の表示部１３に表示され、この所定の時間が終了すると、再度ストリーミングサブ情報の表示に戻るようになっている。
【００６７】
上記実施形態は、ストリーミングサブ情報を特定する特定情報を利用した場合、詳しくは、情報提供システムのサブ情報送信手段が複数のストリーミングサブ情報の各々に対して各ストリーミングサブ情報を特定する特定情報を各ストリーミングサブ情報とともに送信する特定情報送信手段を有し、携帯電話１のサブ情報受信手段がストリーミングサブ情報の受信とともに、当該ストリーミングサブ情報を特定する特定情報を受信して登録する特定情報登録手段を有し、要求送信手段が前記所定の操作が行われたときに表示されていたストリーミングサブ情報を特定する特定情報を前記端末識別情報およびストリーミングメイン情報要求信号とともに送信し、情報提供システムの受信手段がストリーミングサブ情報を特定する特定情報をストリーミングメイン情報要求信号および端末識別情報とともに受信する手段を有し、ストリーミングメイン情報送信手段が前記受信した端末識別情報で特定されるストリーミングメイン情報として前記特定情報で特定されるストリーミングサブ情報に対応するストリーミングメイン情報を端末識別情報の携帯電話１に送信する手段を有する場合についての説明であるが、次に特定情報を使用せずに、携帯電話１が受信したいストリーミングサブ情報およびストリーミングメイン情報を情報提供システムに予め登録しておく第１および第２の登録方式の場合について説明する。
【００６８】
この登録方式のうち第１の登録方式は、例えば各携帯電話１の利用者が本実施形態の情報提供システムを利用するという利用登録を行う場合に、利用者が閲覧しようとするストリーミングメイン情報も同時に予め登録しておくものである。詳しくは、情報提供システムにおいて、前記ストリーミングサブ情報およびストリーミングメイン情報を各携帯電話１の端末識別情報に対応して予め登録している登録手段を有し、前記サブ情報送信手段は、端末識別情報に対応して予め前記登録手段に登録されているストリーミングサブ情報を該端末識別情報の携帯電話１に送信する手段を有し、前記ストリーミングメイン情報送信手段は、前記受信した端末識別情報で特定されるストリーミングメイン情報として端末識別情報に対応して予め前記登録手段に登録されているストリーミングメイン情報を該端末識別情報の携帯電話１に送信する手段を有するものである。
【００６９】
第２の登録方式は、各携帯電話１の利用者が本実施形態の情報提供システムを利用するという利用登録を行う時に行うものではなく、利用登録などをした後において、利用者があるストリーミングメイン情報を閲覧したいと思う時に、登録要求信号を閲覧したいと思うストリーミングメイン情報およびストリーミングサブ情報を特定する情報識別情報とともに携帯電話１から情報提供システムに送信するものである。詳しくは、携帯電話１において、前記ストリーミングサブ情報およびストリーミングメイン情報を予め登録するための登録要求信号を、ストリーミングサブ情報およびストリーミングメイン情報を特定する情報識別情報および端末識別情報とともに無線基地局３に送信する登録要求送信手段を有し、前記サブ情報受信手段は、前記登録要求信号に対して送信されてくるストリーミングサブ情報を受信し、このストリーミングサブ情報を第１の表示部１１に表示するように制御する手段を有し、情報提供システムにおいては、前記ストリーミングサブ情報およびストリーミングメイン情報を予め登録するための登録要求信号を、ストリーミングサブ情報およびストリーミングメイン情報を特定する情報識別情報および端末識別情報とともに携帯電話１から無線基地局３を介して受信し、端末識別情報に対応してストリーミングサブ情報およびストリーミングメイン情報を特定する情報識別情報を登録する受信登録手段を有し、前記サブ情報受信手段は、前記登録要求信号とともに受信した情報識別情報に対応するストリーミングサブ情報を前記受信登録手段から取得して前記端末識別情報の携帯電話１に無線基地局３を介して送信する手段を有し、前記ストリーミングメイン情報送信手段は、前記ストリーミングメイン情報要求信号を端末識別情報とともに受信すると、この受信した端末識別情報に対応する情報識別情報を前記受信登録手段から取得し、この情報識別情報で特定されるストリーミングメイン情報を端末識別情報で識別される携帯電話１に送信する手段を有するものである。
【００７０】
まず、第１の登録方式の場合の作用について説明する。情報提供システムにおいては、ストリーミングメイン情報送信手段は、各携帯電話１に送信するストリーミングサブ情報およびストリーミングメイン情報を各携帯電話１の端末識別情報に対応して予め登録手段に登録しておく。
【００７１】
そして、サブ情報受信手段は、端末識別情報に対応して予め前記登録手段に登録されているストリーミングサブ情報を該端末識別情報の携帯電話１に送信する。
【００７２】
携帯電話１においては、この送信されてくるストリーミングサブ情報を受信すると、第１の表示部１１に表示する。そして、このストリーミングサブ情報が表示されている場合に前記ホットキー１５を操作するなどの所定の操作を行うと、この携帯電話１を識別する端末識別情報とともにストリーミングメイン情報要求信号が携帯電話１から無線基地局３に送信される。
【００７３】
情報提供システムは、携帯電話１から無線基地局３を介してストリーミングメイン情報要求信号を端末識別情報とともに受信すると、ストリーミングメイン情報送信手段は、この受信した端末識別情報で特定されるストリーミングメイン情報を前記登録手段から取得し、当該ストリーミングメイン情報を端末識別情報の携帯電話１に送信する。
【００７４】
また、第２の登録方式では、携帯電話１は、無線基地局３を介して無線回線で送信されてくるストリーミングサブ情報およびストリーミングを予め登録するための登録要求信号を、ストリーミングサブ情報およびストリーミングを特定する情報識別情報および端末識別情報とともに無線基地局３に送信する。
【００７５】
これに対して、情報提供システムにおいては、サブ情報受信手段は、携帯電話１から無線基地局３を介して前記登録要求信号を、ストリーミングサブ情報およびストリーミングメイン情報を特定する情報識別情報および端末識別情報とともに受信すると、このストリーミングサブ情報およびストリーミングメイン情報を特定する情報識別情報により端末識別情報に対応して受信登録手段に登録するとともに、この登録要求信号とともに受信した情報識別情報に対応するストリーミングサブ情報を携帯電話１に無線基地局３を介して送信する。
【００７６】
携帯電話１は、この無線基地局３を介して送信されてくるストリーミングサブ情報を受信すると、このストリーミングサブ情報を第１の表示部１１に表示する。このストリーミングサブ情報が第１の表示部１１に表示されている場合に前記ホットキー１５を操作するなどの所定の操作を行うと、この携帯電話１を識別する端末識別情報とともにストリーミングメイン情報要求信号が携帯電話１から無線基地局３に送信される。
【００７７】
情報提供システムでは、携帯電話１から無線基地局３を介してストリーミングメイン情報要求信号を端末識別情報とともに受信すると、ストリーミングメイン情報送信手段は、この受信した端末識別情報に対応して前記受信登録手段に登録されている情報識別情報からストリーミングメイン情報を取得し、このストリーミングメイン情報を端末識別情報の携帯電話１に送信する。
【００７８】
なお、上記実施形態では、ストリーミングメイン情報送信手段はストリーミングメイン情報要求信号のほぼ受信時点から将来方向に所定時間ストリーミングメイン情報を送信し、携帯電話１ではストリーミングメイン情報要求信号のほぼ送信時点から将来方向に所定時間ストリーミングメイン情報を受信して表示しているが、本発明はこれら限定されるのでなく、例えば、ストリーミングメイン情報送信手段では、ストリーミングメイン情報要求信号のほぼ受信時点を中心に過去に所定時間遡ってストリーミングメイン情報を送信し、それからほぼ受信時点から将来方向に所定時間送信したり、またはほぼ受信時間から将来方向に停止指示が入力されるまで継続的に送信し、また携帯電話１では、ストリーミングメイン情報要求信号のほぼ送信時点を中心に過去に所定時間遡ってストリーミングメイン情報を受信して表示し、それから送信時点から将来方向に所定時間受信して表示したり、または送信時間から将来方向に停止指示が入力されるまで継続的に表示するようにすることも可能である。
【００７９】
また、上記実施形態では、ストリーミングメイン情報として、サッカーや野球などのスポーツの試合の中継、重大事件の中継、ニュース番組の中継、ドラマの中継、観光地の風景の中継、各スキー場の中継、地図情報などを例として挙げたが、本発明はこれに限定されるものでなく、例えば大地震などの大災害が発生した場合における中継やこの大災害により影響される通信トラヒックなどを逐次各地域毎に順次ストリーミングメイン情報として送信するとともに、この場合のストリーミングサブ情報としては各地域を順番に例えば東京南部地域のトラヒック、東京北部地域のトラヒック、神奈川県地域のトラヒックなどのように表示し、利用者はこのようなストリーミングサブ情報を見て、自身が必要と思う地域のトラヒックを見るなどのように利用することも可能である。
【００８０】
更に、上記実施形態では、第１の表示部１１が１つのみ設けられている場合について説明したが、本発明はこれに限定されるものでなく、例えば図４（ａ）、（ｂ）に示すように、複数の第１の表示部１１１ａ、１１１ｂを携帯電話１のディスプレイに表示し、利用者は、この複数の第１の表示部１１１ａ、１１１ｂに表示された複数のストリーミングサブ情報を閲覧し、この中から所望のものを選択し、この選択したストリーミングサブ情報に該当するストリーミングメイン情報を第２の表示部１１３に表示するようにしてもよいものである。
【００８１】
また、上記実施形態において、携帯電話１に設けられている第１の表示部１１は、図１に示すように、折り畳み式の携帯電話の折り畳まれて対向するメインディスプレイ１０の上部に設けられ、この第１の表示部１１の下方に第２の表示部１３を設けているが、本発明はこれに限定されるものでなく、例えば図４（ａ）、（ｂ）に示すように、第２の表示部１３の下方にのみ第１の表示部１１１ｂを設けてもよいし、折り畳み式の携帯電話の折り畳まれた外側に設けられている所謂サブディスプレイで第１の表示部１１１ｃを構成し、折り畳まれて対向する内側に設けられている所謂メインディスプレイで第２の表示部１１３を構成してもよいものである。あるいは第１の表示部１１１ａ、１１１ｂ、１１１ｃの全てを有しても良く、サブディスプレイの一部に第１の表示部１１を設けてもよいものである。
【００８２】
また、携帯電話１は、図１、４に示すように、折り畳み式のものに限定されるものでなく、折り畳みのない携帯電話にも同様に適用し得るものである。なお、この場合における第１の表示部１１および第２の表示部１３の配置は上述したものと同じである。
【００８３】
また、上記実施形態では、携帯電話１において行われる所定の操作として、ホットキー１５を操作するものであると説明したが、本発明はこれに限定されるものでなく、例えば折り畳み式携帯電話１において外側のサブディスプレイで第１の表示部１１が形成されている場合などにおいては、折り畳んだ状態で第１の表示部１１に表示されたストリーミングサブ情報を閲覧していた場合に、携帯電話１を折り畳んだ状態から開いたという操作が前記所定の操作に該当するものであると設定し、携帯電話１が開いた場合に、ストリーミングメイン情報要求信号が携帯電話１から送信されるようにしてもよいものである。
【図面の簡単な説明】
【００８４】
【図１】本発明の一実施形態に係わる通信端末を構成する携帯電話１の外観構造を示す斜視図である。
【図２】本発明の一実施形態に係わる情報提供システムを構成する携帯電話システムの構成を示す図である。
【図３】図１、図２に示す実施形態において携帯電話のメインディスプレイの第１の表示部および第２の表示部に表示される具体的情報の一例を示す説明図である。
【図４】図１、図２に示す実施形態において第１の表示部および第２の表示部が設けられる携帯電話の別の具体的位置を示す説明図である。
【符号の説明】
【００８５】
１    携帯電話
３    無線基地局
５    制御局
１０    メインディスプレイ
１１    第１の表示部
１３    第２の表示部
１５    ホットキー
２０    操作部
５１    サーバ
５３    コンテンツデータベース
５５    課金データベース
６１    ムービーカメラ
６３    テレビ局
６５    コンテンツ提供装置
【図１】
2005328293.tif 000003
【図２】
2005328293.tif 000004
【図３】
2005328293.tif 000005
【図４】
2005328293.tif 000006